(57)【要約】      （修正有）【課題】氷を使用したとき、発生して容器に付着する結露水があっても、抽出対象物例えばお茶の抽出を行うことができる氷出し抽出器を提供する。【解決手段】氷出し抽出器１は第１の容器２、第２の容器１１及び蓋体２１を備え、第１の容器２は、第１の略円形状開口端、第１の略円形状底面４、第１の円形状開口端から第１の円形状底面４に向かって連続的に縮径する部分を含む本体側周面５と本体側周面５に接続して不連続にさらに縮径する接続側周面を含む第１の側周面、及び第１の略円形状底面４を貫通する第１の小孔８を有し、第２の容器１１は、接続側周面に外嵌する第２の略円形状開口端、第２の略円形状底面及び第２の略円形状開口端から第２の略円形状底面に向かって拡径する部分を含む第２の側周面１４、及び第２の略円形状開口端に形成された切り欠きを有する。【選択図】図１
0003217869.tif 000002
【実用新案登録請求の範囲】
【請求項１】
第１の略円形状開口端、第１の略円形状底面、前記第１の略円形状開口端から前記第１の略円形状底面に向かって連続的に縮径する部分を含む本体側周面と前記本体側周面に接続して不連続にさらに縮径する接続側周面を含む第１の側周面、及び前記第１の略円形状底面を貫通する第１の小孔を有する第１の容器と、前記接続側周面に外嵌する第２の略円形状開口端、第２の略円形状底面及び前記第２の略円形状開口端から前記第２の略円形状底面に向かって拡径する部分を含む第２の側周面、及び前記第２の略円形状開口端に形成された切り欠きを有する第２の容器と、前記第１の略円形状開口端に内嵌する蓋体であって、前記第１の略円形状開口端に係止するリブを有する蓋体側周面、前記蓋体側周面に接続する略円形状蓋面、及び前記略円形状蓋面を貫通する第２の小孔を有する蓋と、を備え、前記第１の容器は氷と抽出対象物を収納することができることを特徴とする氷出し抽出器。
【請求項２】
前記切り欠きはＵ字切り欠き、Ｖ字切り欠き、及びＢＯＸ切り欠きの何れか１種類であることを特徴とする請求項１に記載の氷出し抽出器。
【請求項３】
前記切り欠きの両端の寸法は２ｍｍ〜６ｍｍであることを特徴とする請求項１又は２に記載の氷出し抽出器。
【請求項４】
前記第１の小孔と前記第２の小径の孔径はそれぞれ０．５ｍｍ〜２．５ｍｍであることを特徴とする請求項１〜３の何れか１項に記載の氷出し抽出器。
【考案の詳細な説明】
【技術分野】
【０００１】
本考案は、氷出し抽出器に関する。
【背景技術】
【０００２】
お茶は日本において、古来よりの文化として、人と人とのコミュニケーションの場や個人がリラックスする場など多くの場面で、古くから広く愛飲されている。また、近年では、急須を用い、直にお湯を茶葉に注いでお茶を抽出する以外に、茶葉をパック詰めしたものや、茶葉を砕いて粉末状態にしたものが使用に供されている。
【０００３】
特許文献１には、容器の中に茶葉を入れ、湯等の液体を注ぎ入れ、容器の縁部に凹状のフィルターを係止し簡易急須を構成し、備えの容器に抽出液を注ぎ入れ飲むことができる簡易茶器が開示されている。また、特許文献２には、上方が開口した水又は湯等の液体を収納する収納部を有する本体と、この本体に取り付けられ、茶葉等の飲料用抽出原料を収納する凹所底部に複数の開口部を有する濾過体などにより構成された、飲料用容器が開示されている。
【０００４】
一方、高温で淹れると苦がみや渋みのもとになるタンニンやカフェインが溶け出すのに対し、低温でゆっくり淹れると甘み成分のテアニンや旨み成分のアミノ酸、加えてビタミンＣが引き出されて、渋みや苦みが少なく、茶葉本来のまろやかな旨みを楽しめるため、水出しが好まれている。さらには水の代わりに氷を使用する氷出しも行われている。
【０００５】
しかしながら、開示された茶器や飲料用容器は氷出し用としては不向きであり、氷を使用したとき、発生して容器に付着する結露水に対してお茶の抽出が行えないとの問題があった。
【先行技術文献】
【特許文献】
【０００６】
【特許文献１】特開２００８−２４６１８７号公報
【特許文献２】特開２００９−０５６０６９号公報
【考案の概要】
【考案が解決しようとする課題】
【０００７】
本考案の課題は上記のような従来の問題を解決し、氷を使用したとき、発生して容器に付着する結露水があっても、抽出対象物例えばお茶の抽出を行うことができる容器を提供することである。
【課題を解決するための手段】
【０００８】
（１）第１の略円形状開口端、第１の略円形状底面、前記第１の略円形状開口端から前記第１の略円形状底面に向かって連続的に縮径する部分を含む本体側周面と前記本体側周面に接続して不連続にさらに縮径する接続側周面を含む第１の側周面、及び前記第１の略円形状底面を貫通する第１の小孔を有する第１の容器と、前記接続側周面に外嵌する第２の略円形状開口端、第２の略円形状底面及び前記第２の略円形状開口端から前記第２の略円形状底面に向かって拡径する部分を含む第２の側周面、及び前記第２の略円形状開口端に形成された切り欠きを有する第２の容器と、前記第１の円形状開口端に内嵌する蓋体であって、前記第１の略円形状開口端に係止するリブを有する蓋体側周面、前記蓋体側周面に接続する略円形状蓋面、及び前記略円形状蓋面を貫通する第２の小孔を有する蓋と、を備え、前記第１の容器は氷と抽出対象物を収納することができることを特徴とする氷出し抽出器である。
（２）前記切り欠きはＵ字切り欠き、Ｖ字切り欠き、及びＢＯＸ切り欠きの何れか１種類であることを特徴とする（１）に記載の氷出し抽出器である。
（３）前記切り欠きの両端の寸法は２ｍｍ〜６ｍｍであることを特徴とする（１）又は（２）に記載の氷出し抽出器である。
（４）前記第１の小孔と前記第２の小径の孔径はそれぞれ０．５ｍｍ〜２．５ｍｍであることを特徴とする（１）〜（３）の何れか一つに記載の氷出し抽出器である。
【考案の効果】
【０００９】
本考案に係る氷出し抽出器を使用し、抽出対象物である例えばお茶を用いて、氷出しによる抽出を行えて、茶葉本来のまろやかな旨みを楽しめることができるという効果を奏する。
【図面の簡単な説明】
【００１０】
【図１】本考案の一つの実施形態である氷出し抽出器において、氷、対象抽出物が含まれたものの断面図を示す図である。
【図２】氷出し抽出器を各構成部品（第１の容器、第２の容器及び蓋体）に因って分離した状態の正面図を示す図である。
【図３】氷出し抽出器の斜視図を示す図である。
【考案を実施するための形態】
【００１１】
以下、図面を参照しつつ本考案の実施の形態について説明する。本考案は、以下の実施形態に限定されるものではなく、考案の範囲を逸脱しない限りにおいて、変更、修正、改良を加え得るものである。
【００１２】
図１に基づいて、氷出し抽出器１の説明を行う。氷出し抽出器１は第１の容器２、第２の容器１１及び蓋体２１を備えている。ここで、第１の容器２は、第１の略円形状開口端３、第１の略円形状底面４、第１の略円形状開口端３から第１の略円形状底面４に向かって連続的に縮径する部分を含む本体側周面５と本体側周面５に接続して不連続にさらに縮径する接続側周面６を含む第１の側周面７、及び第１の略円形状底面４を貫通する第１の小孔８を有する。
【００１３】
また、第２の容器１１は、接続側周面６に外嵌する第２の略円形状開口端１２、第２の略円形状底面１３及び第２の略円形状開口端１２から第２の略円形状底面１３に向かって拡径する部分を含む第２の側周面１４、及び第２の略円形状開口端１２に形成された切り欠き１５を有する。蓋体２１は、第１の略円形状開口端３に内嵌し、第１の略円形状開口端３に係止するリブ２２を有する蓋体側周面２３、蓋体側周面２３に接続する略円形状蓋面２４、及び略円形状蓋面２４を貫通する第２の小孔２５を有する。
製造のし易さ、価格の観点から略円形は円形であることが好ましい。
【００１４】
第１の容器２の内部であって、本体側周面５に対応する第１の収納部９には、例えば家庭用冷蔵を用い、付属した製氷皿で製氷された略直方体の氷Ａを複数個収納することができる。一方、接続側周面６に対応する第２の収納部１０には、抽出対象物を収納することができる。
【００１５】
抽出対象物としては、前述した日本のコミュニケーションの場等における古来よりの文化の観点から、お茶が好ましい。また、お茶として茶葉を用いた場合には、お茶を抽出した後の茶葉を容易に処理することができる観点から、パックに入ったものを用いることができる。お茶以外のその他の抽出対象物としては、個人の嗜好や場面に従って紅茶など適宜に選択することができる。
【００１６】
図２に示すように、氷出し抽出器１は、第１の容器２の接続側周面６に第２の容器１１の第２の略円形状開口端１２を外嵌し、蓋体２１の蓋体側周面２３を第１の容器２の第１の略円形状開口端３に内嵌することによって組み立てることができる。なお、接続側周面６に対する略円形状開口端１２が外嵌できる位置は、第１の側周面７に形成された不連続な縮径によって形成された段差３０によって規定される。一方、第１の略円形状開口端３に対する蓋体側周面２３の内嵌できる位置は、リブ２２によって規定される。
【００１７】
図３に示すように、組み立てられた氷出し抽出器１は、好ましくは中央からやや下側の部分が、上端（第１の略円形状開口端３）と下端（第２の略円形状底面１３）と対比して縮径している。そのため、抽出器全体として安定した印象を与えると共に、上から下に向かって流れる方向性の印象によって、抽出液Ｃが下に向かってゆっくりと滴下されるとのイメージを与えることができるのである。
【００１８】
組み立てられた氷出し抽出器１について、第１（２）の収納部９（１０）は、第２の小孔２５によって氷出し抽出器１の外部と通気する。すなわち第２の小孔２５は、密閉されるのを防ぐためのものであり、見た目上はできるだけ目立たないことが望ましいので、加工のしやすさなども加味しつつ、密閉を防ぐことができる最低限のサイズとする観点から、０．５ｍｍ〜２．５ｍｍが好ましく、０．５ｍｍ〜１．５ｍｍがさらに好ましい。
【００１９】
また、組み立てられた氷出し抽出器１について、第１の収納部９に収納された氷Ａにより、第１の容器２や第２の容器１１が冷やされて、段差３０周辺に結露水が発生した場合であっても、第３の収納部１６は切り欠き１５によって、氷出し抽出器１の外部と通気することができる。接続側周面６は、切り欠き１５全体と重なって第２の側周面１４に内嵌しているが、図１に示すように、接続側周面６と第２の側周面１４の間には通気できるクリアランスが形成されている。しかし、段差３０周辺に結露水が発生した場合には、そのクリアランスがその結露水によって塞がれて通気が妨げられることになるのである。
【００２０】
すなわち切り欠き１５は、第３の収納部１３が密閉されるのを防ぐためのものであり、見た目上はできるだけ目立たないことが望ましいので、加工のしやすさなども加味しつつ、密閉を防ぐ観点から、Ｕ字切り欠き、Ｖ字切り欠き、及びＢＯＸ切り欠きの何れかが好ましい。
【００２１】
また、切り欠き１５の最低限のサイズについても同様の観点から、その両端の寸法は２ｍｍ〜６ｍｍが好ましく、３ｍｍ〜５ｍｍがさらに好ましい。切り欠き１５は、その両端において、第２の略円形状開口端１２から第２の側周面１４に沿い、第２の略円形状底面１３に向かって切り込まれている。そのため、切り欠き１５の段差３０周辺に発生した結露水は、第２の略円形状底面１３方向に移動（落下）し、特に切り欠き１５付近における接続側周面６と第２の側周面１４の間のクリアランスを維持することになるのである。すなわち切り欠き１５は、そのようにクリアランスを維持することによって、第３の収納部１３が密閉されることを防ぐのである。
【００２２】
第１の収納部９に収納された氷Ａが溶けた直後の冷たい水によって、抽出された抽出液Ｃは、第１の小孔８を介して第３の収容部に滴下されて、そこに貯まることになる。第１の小孔８のサイズは、抽出液Ｃをゆっくり滴下する観点から、０．５ｍｍ〜２．５ｍｍが好ましく、０．５ｍｍ〜１．５ｍｍがさらに好ましい。抽出対象物Ａが例えば茶葉である場合には、旨み成分が引き出されて、渋みや苦みが少なく、茶葉本来のまろやかな旨みを有する抽出茶をえて、その抽出茶を十分に楽しむことができるのである。
【００２３】
第１の容器２、蓋体２１及び第２の容器１１の材質は金属、プラスチックやガラスなどから適宜に選択することができるが、質感の観点から、第１の容器１１、蓋体２１は金属や塗装された金属が好ましい。一方、第２の容器１１は、抽出液Ｃが滴下される様子や第２の容器１１に貯まっていく様子を目視することができるとの観点から、透明性を有するものが好ましく、質感の観点からガラスがさらに好ましい。
【００２４】
氷出し抽出器１の使い方（組み立て方）の一例を以下に説明する。まず、第１の容器２の接続側周面６を、第２の容器１１の第２の略円形状開口端１２に内嵌する。抽出対象物Ｂとして、茶葉２〜３ｇ（蓋体２１約１杯分）を第２の収納部１０に入れる。次いで、第１の収納部９にいっぱいとなるまで、複数個の略直方体の氷Ａを第１の収納部９に入れる。蓋体２１を第１の容器２の第１の円形状開口端３に内嵌する。そして、組み立てられた氷出し抽出器１を静置し、茶葉からの抽出茶が、第３の収納部１６に貯まる時の経過を、愉しみながら過ごすのである。さらに、もう一度氷を入れると２煎目を抽出することができる。その時の経過を楽しむ場所としては、コミュニケーションの場のみならず、個々人の場例えば搭乗した飛行機中など様々である。
【００２５】
氷出し抽出器１から取り外した第２の容器１１から、そのまま第３の収納部に貯まった抽出茶を飲むことができる。なお、氷出し抽出器１の片付けには、原則として前記の組み立て方と逆の手順を行えばよい。
【産業上の利用可能性】
【００２６】
本発明による氷出し抽出器を使用して、氷出しにより抽出対象物が例えば茶葉であれば、茶葉本来のまろやかな旨みを有するお茶をうることができる。
【符号の説明】
【００２７】
１：  氷出し抽出器
２：  第１の容器
３：  第１の略円形状開口端
４：  第１の略円形状底面
５：  本体側周面
６：  接続側周面
７：  第１の側周面
８：  第１の小孔
９：  第１の収納部
１０：第２の収納部
１１：第２の容器
１２：第２の略円形状開口端
１３：第２の略円形状底面
１４：第２の側周面
１５：切り欠き
１６：第３の収納部
２１：蓋体
２２：リブ
２３：蓋体側周面
２４：略円形状蓋面
２５：第２の小孔
３０：段差
Ａ  ：氷
Ｂ  ：抽出対象物
Ｃ  ：抽出液
【図１】
0003217869.tif 000003
【図２】
0003217869.tif 000004
【図３】
0003217869.tif 000005